(57)【要約】      （修正有）【課題】キャリーバッグの伸縮ハンドルに装着でき、伸縮ハンドルを一時的にキャリーバッグ本体に押しこむ場合であっても、取り外す必要がなく使い勝手のよいキャリーバッグ用物品固定ベルトを提供する。【解決手段】キャリーバッグのハンドルのグリップ部１３に装着されるキャリーバッグ用物品固定ベルト１０であって、上記グリップ部に取り付けられる取付片部１４と、上記取付片部に延設され、保持する物品に巻きつけうる保持面部１５と、上記取付片部とは反対側において保持面部１５に延設され、上記保持面部を介して折り返し、上記取付片部に接合固定しうる固定片部１６とを備える。また、上記取付片部を上記グリップ部に取り付けた状態で、保持しようとする物品に上記保持面部を巻き付け、上記固定片部を取付片部に固定することにより、上記保持面部によりジャケット２０等の物品をキャリーバッグの伸縮ハンドルに固定する。【選択図】図３
0003171646.tif 000002
【実用新案登録請求の範囲】
【請求項１】
キャリーバッグのハンドルのグリップ部に装着されるキャリーバッグ用物品固定ベルトであって、
上記グリップ部に取り付けられる取付片部と、上記取付片部に延設され、保持する物品に巻きつけて保持しうる保持面部と、上記取付片部とは反対側において保持面部に延設され、上記保持面部を介して折り返し、上記取付片部に接合固定しうる固定片部とを備え、
上記取付片部を上記グリップ部に取り付けた状態で、保持しようとする物品に上記保持面部を巻き付け、上記固定片部を取付片部に固定することにより、物品を上記保持面部によりキャリーバッグのハンドルに固定することを特徴とするキャリーバッグ用物品固定ベルト。
【請求項２】
上記保持面部は平面略長方形状に形成され、上記取付片部及び固定片部は、夫々、上記保持面部の長さ方向の両端部において、長さ方向に沿って上記保持面部の幅方向両端部に一対に形成されていることを特徴とする請求項１記載のキャリーバッグ用物品固定ベルト。
【請求項３】
上記夫々の取付片部には、上記グリップ部へ固定するための係止部が係止すると共に、上記固定片部に設けられた係止部が係止しうる係合部が設けられていることを特徴とする請求項２記載のキャリーバッグ用物品固定ベルト。
【請求項４】
上記係合部は突部であると共に上記係止部は開口部であることを特徴とする請求項３記載のキャリーバッグ用物品固定用ベルト。
【請求項５】
上記取付片部には、端部に開口部からなる係止部が開設されていると共に、上記固定片部には長さ方向に沿って複数の開口部からなる係止部が形成されていることを特徴とする請求項３記載のキャリーバッグ用物品固定ベルト。
【請求項６】
軟質材により形成され、非使用時には長さ方向に沿って丸め、上記固定片部の係止部を上記取付片部の係合部に係合させることにより固定して折り畳むことを特徴とする請求項４記載のキャリーバッグ用物品固定ベルト。
【考案の詳細な説明】
【技術分野】
【０００１】
本考案は、キャリーバッグ用物品固定ベルトに関する。
【背景技術】
【０００２】
一般に、キャリーバッグを使用して旅行中、空港、訪問地等で、キャリーバッグを引きながら移動している際には、キャリーバッグ以外にもジャケット、土産物を入れたショッピングバッグ等を手に持っている場合が多い。
【０００３】
この場合、キャリーバッグ以外の物品を手に持って歩行するのは煩雑であり、できればキャリーバッグに何らかの形で固定して移動したい、という要請がある。
【０００４】
このような観点から従来技術の調査を行い、キャリーバッグに装着される物品固定用ベルトに関する技術を発見した（特許文献１）。
【０００５】
この公報所載の物品固定ベルトは、キャリーバッグのバッグ本体の上面部に物品を固定するためのものであり、キャリーバッグの伸縮ハンドルのパイプ部に装着される筒状カバーと、上記筒状カバーに装着され固定する物品に上下方向に掛け回されるベルトとを備えている。
【０００６】
しかしながら、例えば、階段を上り下りする場合等には、キャリーバッグを伸縮ハンドルによらず、キャリーバッグ本体に固定されたハンドルにより持つ必要がある場合があるが、上記従来技術にあっては、上記伸縮ハンドルを一時的にキャリーバッグ内に収納しようとする際に、上記筒状カバーが邪魔になることから、伸縮ハンドルをバッグ本体内に収納することができず、その都度、物品固定用ベルトを伸縮ハンドルから取り外す必要があり、非常に煩雑である、という不具合があった。
【特許文献１】特開２００９―２５４５６１号公報
【考案の開示】
【考案が解決しようとする課題】
【０００７】
本考案はこのような従来からの不具合を解決するためのものであって、その課題は、キャリーバッグの伸縮ハンドルに装着でき、伸縮ハンドルを一時的にキャリーバッグ本体に押しこむ場合であっても取り外す必要がなく、使いやすいキャリーバッグ用物品固定ベルトを提供することにある。
【課題を解決するための手段】
【０００８】
上記課題達成のため、請求項１記載の考案にあっては、キャリーバッグのハンドルのグリップ部に装着されるキャリーバッグ用物品固定ベルトであって、上記グリップ部に取り付けられる取付片部と、上記取付片部に延設され、保持する物品に巻きつけうる保持面部と、上記取付片部とは反対側において保持面部に延設され、上記保持面部を介して折り返し、上記取付片部に接合固定しうる固定片部とを備え、上記取付片部を上記グリップ部に取り付けた状態で、保持しようとする物品に上記保持面部を巻き付け、上記固定片部を取付片部に固定することにより、上記保持面部により物品をキャリーバッグのハンドルに固定することを特徴とする。
【０００９】
従って、請求項１記載の考案にあっては、使用時には、キャリーバッグ用物品固定ベルトは、ハンドルを伸ばした状態において、上記取付片部により上記グリップ部に取り付けられ、上記グリップ部から下方に垂下した状態で配置される。
【００１０】
請求項２記載の考案にあっては、上記保持面部は平面略長方形状に形成され、上記取付片部及び固定片部は、夫々、長さ方向に沿って上記保持面部の長さ方向の両端部において、上記保持面部の幅方向両端部に一対に形成されていることを特徴とする。
【００１１】
従って、請求項２記載の考案にあっては、２本の取付片部により上記グリップ部に取り付けられていると共に、２本の固定片部を有している。
【００１２】
請求項３記載の考案にあっては、上記夫々の取付片部には、上記グリップ部へ固定するための係止部が係止すると共に、上記固定片部に設けられた係止部が係止しうる係合部が設けられていることを特徴とする。
【００１３】
従って、請求項３記載の考案にあっては、上記取付片部はグリップ部へ上記係合部により固定されると共に、上記固定片部は上記係合部により上記取付片部に固定される。
【００１４】
請求項４記載の考案にあっては、上記係合部は突部であると共に上記係止部は開口部であることを特徴とする。
【００１５】
請求項５記載の考案にあっては、上記取付片部には、端部に開口部からなる係止部が開設されていると共に、上記固定片部には長さ方向に沿って複数の開口部からなる係止部が形成されていることを特徴とする。
従って、請求項５記載の考案にあっては、上記固定片部には長さ方向に沿って複数の開口部からなる係止部が形成されていることから、上記複数の開口部からなる係止部を適宜、上記係合部へ係合させることができる。
請求項６記載の考案にあっては、軟質材により形成され、非使用時には長さ方向に沿って丸め、上記固定片部の係止部を上記取付片部の係合部に係合させることにより固定して折り畳むことを特徴とする。
【考案の効果】
【００１６】
請求項１〜５記載の考案に係るキャリーバッグ用物品固定ベルトにあっては、キャリーバッグの伸縮ハンドルのグリップ部に取り付けた場合には、キャリーバッグのハンドルを伸ばした状態において、上記取付片部により上記グリップ部から下方に垂下した状態で配置される。
【００１７】
その結果、例えば、階段を上る又は降りる等の場合に、一時的に伸縮ハンドルをバッグ本体内に押し込んで、バッグ本体に設けられた把持部を手でつかんでバッグ本体を搬送する場合であっても、上記従来技術のように伸縮ハンドル自体に装着するものではないため、グリップ部からバッグ本体の裏側又は表側に垂下させた状態で伸縮ハンドルをバッグ本体内へ押し込むことができる。
【００１８】
従って、伸縮ハンドルをバッグ本体へ押し込む際に、その都度、物品固定用ベルトを取り外す必要がなく、使いやすいキャリーバッグ用物品固定ベルトを提供することができる。
【００１９】
請求項４記載の考案にあっては、上記の効果に加えて、キャリーバッグの伸縮ハンドルへの取り付け及び物品の固定を容易に行いうるキャリーバッグ用物品固定ベルトを提供することができる。
【００２０】
請求項５記載の考案にあっては、上記固定片部には長さ方向に沿って複数の開口部からなる係止部が形成されていることから、上記複数の開口部からなる係止部を適宜、上記係合部へ係合させることができ、保持しようとする物品の大きさに応じて適宜、取付片部の長さ調整ができるキャリーバッグ用物品固定ベルトを提供することができる。
請求項６記載の考案にあっては、上記の効果に加えて、使用しない場合にはコンパクトにまとめて収納でき、持ち歩きやすいキャリーバッグ用物品固定ベルトを提供することができる。
【図面の簡単な説明】
【００２１】
【図１】本考案に係るキャリーバッグ用物品固定ベルトの一実施の形態を示す平面図である。
【図２】本考案に係るキャリーバッグ用物品固定ベルトの一実施の形態を示す斜視図であって、キャリーバッグの伸縮ハンドルを伸ばし、グリップ部に装着した状態を示す図である。
【図３】本考案に係るキャリーバッグ用物品固定ベルトの一実施の形態を示す斜視図であって、ジャケットをキャリーバッグに固定した状態を示す図である。
【図４】本考案に係るキャリーバッグ用物品固定ベルトの一実施の形態を示す斜視図であって、ショッピングバッグをキャリーバッグに固定した状態を示す図である。
【図５】本考案に係るキャリーバッグ用物品固定ベルトの一実施の形態を示す斜視図であって、ペットボトルをキャリーバッグに固定した状態を示す図である。
【図６】本考案に係るキャリーバッグ用物品固定ベルトの一実施の形態を示す斜視図であって、長さ方向に沿って丸めて折り畳んだ状態及びケースを示す図である。
【考案を実施するための最良の形態】
【００２２】
以下、添付図面に示す実施の形態に基づき、本考案を詳細に説明する。
図１及び図２に示すように、本実施の形態に係るキャリーバッグ用物品固定ベルト１０は、ビニール製であって、キャリーバッグ１１の伸縮ハンドル１２のグリップ部１３に装着される。
【００２３】
キャリーバッグ用物品固定ベルト１０は、上記グリップ部１３に取り付けられる取付片部１４、１４と、上記取付片部１４、１４に延設され、保持する物品に巻きつけうる保持面部１５と、上記取付片部１４、１４とは反対側において保持面部１５に延設され、上記保持面部１５を介して折り返し、上記取付片部１４に接合固定しうる固定片部１６、１６とを備えている。
【００２４】
上記保持面部１５は平面略長方形状に形成され、上記取付片部１４、１４及び固定片部１６、１６は、夫々、上記保持面部１５の長さ方向の両端部において、上記保持面部１５の幅方向両端部に一対であって、かつ、上記保持面部１５と一体に、長さ方向に沿って設けられている。
【００２５】
上記取付片部１４、１４の表面側には突部からなる係合部１９、１９が設けられている。図３及び図４に示すように、本実施の形態にあっては、上記係合部１９、１９は、軸部１９ｂと、軸部１９ｂの端部に形成されている大径部１９ａとからなる金属製ホックにより構成されている。
【００２６】
上記取付片部１４、１４の先端部には、開口部からなる係止部１７、１７が開設されている。従って、キャリーバッグ１１のグリップ部１３へ固定する場合には、図２に示すように、グリップ部１３へ取付片部１４、１４を背面側からかけまわし、取付片部１４、１４を反転させて、上記係止部１７、１７を上記係合部１９、１９の大径部１９ａ、１９ａに固定させることにより行う。
【００２７】
また、上記固定片部１６、１６には、長さ方向に沿って、開口部からなる係止部１８ａ，１８ｂ，１８ｃが設けられており、物品を固定する場合には、保持面部１５により物品を巻き付け、上記固定片部１６、１６の端部を反転させて、上記係止部１８ａ，１８ｂ，１８ｃを上記係合部１９、１９に係合させることにより、物品を固定するように構成されている。
【００２８】
以下、本実施の形態に係るキャリーバッグ用物品固定ベルト１０の使用方法について説明する。
キャリーバッグ１１のグリップ部１３に固定されたキャリーバッグ用物品固定ベルト１０を利用して、例えば、ジャケット２０をキャリーバッグ１１の伸縮ハンドル１２に固定する場合には、例えば、図３に示すように、ジャケット２０を保持面部１５に当てた状態で固定片部１６、１６を持ち上げて、ジャケット２０を包み込むようにして、固定片部１６、１６に形成されている、適宜の開口部からなる係止部、例えば、係止部１８ｂ、１８ｂを、取付片部１４、１４の係合部１９、１９の大径部１９ａ、１９ａに係合させる。
【００２９】
これにより、固定片部１６、１６は取付片部１４、１４に固定され、ジャケット２０は保持面部１５により支持された状態でキャリーバッグ１１の伸縮ハンドル１２に固定される。
【００３０】
なお、本実施の形態にあっては、ジャケット２０をキャリーバッグ１１に固定する場合を例に説明したが、図４に示すように、例えば、大型のショッピングバッグ２１をキャリーバッグ１１に固定することもできる。
【００３１】
この場合にも、上記同様の要領で行うが、上記固定片部１６、１６をショッピングバッグ２１の取っ手２２に通して、上記同様に、適宜の係止部、例えば、固定片部１６、１６に開設された、最も内方の係止部１８ａを係合部１９、１９の大径部１９ｂ、１９ａに係合させて取付片部１４、１４に固定する。
さらに、図５に示すように、本実施の形態に係るキャリーバッグ用物品固定ベルト１０を使用してペットボトル２５を伸縮ハンドル１２に固定することもできる。この場合、固定片部１６、１６に開設された、最も内方の係止部１８ａ，１８ａを係合部１９、１９の大径部１９ｂ、１９ｂに係合させることにより、固定片部１６、１６の長さを短くすることによりペットボトル２５を固定する。
【００３２】
さらに、図６に示すように、使用しない場合には、長さ方向に沿って丸めて折り畳み、固定片部１６、１６の係止部１８、１８を取付片部１４、１４の係合部１９、１９に係合させることにより、全体略棒状にして、例えば、専用のケース２３に収納して保持することができる。
【００３３】
なお、本実施の形態にあっては、キャリーバッグ用物品固定ベルト１０がビニール製の場合を例に説明したが、例えば、所定の剛性を有する布製、ナイロン性、又は皮革製であってもよく、本実施の形態には限定されない。
【符号の説明】
【００３４】
１０  キャリーバッグ物品固定用ベルト
１１  キャリーバッグ
１２  伸縮ハンドル
１３  グリップ部  
１４  取付片部
１５  保持面部
１６  固定片部
１７  係止部
１８  係止部
１９  係合部
１９ａ  軸部
１９ｂ  大径部
２０  ジャケット
２１  ショッピングバッグ      
２２  取っ手
２３  専用ケース
２４  端部  
２５  ペットボトル
【図１】
0003171646.tif 000003
【図２】
0003171646.tif 000004
【図３】
0003171646.tif 000005
【図４】
0003171646.tif 000006
【図５】
0003171646.tif 000007
【図６】
0003171646.tif 000008